【手続補正書】
【提出日】平成24年11月26日(2012.11.26)
【手続補正１】
【補正対象書類名】特許請求の範囲
【補正対象項目名】全文
【補正方法】変更
【補正の内容】
【特許請求の範囲】
【請求項１】
電極を含む電解槽の洗浄方法であって、
前記電解槽への塩水の供給を停止するステップと、
複数の電極の極性を逆転させるステップと、
前記電解槽の塩水濃度を下げることにより、前記電解槽の通常稼動に使用される稼動電流密度より低い洗浄電流密度を前記電極に提供するステップと、
を含んでいることを特徴とする電極を含む電解槽の洗浄方法。
【請求項２】
前記電解槽は１リットルあたり４グラム以上の遊離塩素の濃縮物を生成することを特徴とする請求項１記載の電極を含む電解槽の洗浄方法。
【請求項３】
前記電解槽は１リットルあたり５グラム以上の遊離塩素の濃縮物を生成することを特徴とする請求項２記載の電極を含む電解槽の洗浄方法。
【請求項４】
前記遊離塩素の濃縮物は１リットルあたり８グラムであることを特徴とする請求項３記載の電極を含む電解槽の洗浄方法。
【請求項５】
前記稼動電流密度は１平方インチあたり１アンペア以上であることを特徴とする請求項１記載の電極を含む電解槽の洗浄方法。
【請求項６】
前記洗浄電流密度は稼動電流密度の２０％以下であることを特徴とする請求項１記載の電極を含む電解槽の洗浄方法。
【請求項７】
前記洗浄電流密度は稼動電流密度の１０％から１５％の間であることを特徴とする請求項６記載の電極を含む電解槽の洗浄方法。
【請求項８】
前記提供するステップは３０分間以下で実施されることを特徴とする請求項１記載の電極を含む電解槽の洗浄方法。
【請求項９】
前記提供するステップは５分から１０分の間で実施されることを特徴とする請求項８記載の電極を含む電解槽の洗浄方法。
【請求項１０】
前記逆転するステップは、電源継電器の使用ステップ、スイッチ器具の使用ステップのうちの少なくとも１つを含んでいることを特徴とする請求項１記載の電極を含む電解槽の洗浄方法。
【請求項１１】
前記電解槽を介して電解物質の流量をモニターするステップをさらに含んでいることを特徴とする請求項１記載の電極を含む電解槽の洗浄方法。
【請求項１２】
前記モニターするステップは、流量計、ロータメーターまたは圧力変換器を使用するか、あるいは電解槽入口に配置された第１サーモカップルまたはサーモウェルと電解槽出口に配置された第２サーモカップルまたはサーモウェルを介した電解槽の温度差をモニターすることで実行されることを特徴とする請求項１１記載の電極を含む電解槽の洗浄方法。
【請求項１３】
流量を自動的に調節するステップをさらに含んでいることを特徴とする請求項１１記載の電極を含む電解槽の洗浄方法。
【請求項１４】
所定の流量時に洗浄サイクルを開始するステップをさらに含んでいることを特徴とする請求項１１記載の電極を含む電解槽の洗浄方法。
【請求項１５】
電極を含んだ電解槽の洗浄方法であって、本方法は、
複数の電極の極性を逆転させるステップと、
電解槽の通常稼動で使用される稼動電位差よりも低い洗浄電位差を電極に提供するステップと、
を含んでいることを特徴とする電極を含む電解槽洗浄方法。
【請求項１６】
通常稼働中に、電解槽は１リットルあたり５グラム以上の遊離塩素の濃縮物を生成することを特徴とする請求項１５記載の電極を含む電解槽の洗浄方法。
【請求項１７】
前記提供するステップは５分から１０分間実行されることを特徴とする請求項１５記載の電極を含む電解槽の洗浄方法。
【請求項１８】
前記逆転するステップは少なくとも１つの電源継電器またはその他のスイッチ器具の使用ステップを含んでいることを特徴とする請求項１５記載の電極を含む電解槽の洗浄方法。
【請求項１９】
前記稼動電位差は稼動電源によって提供され、洗浄電位差は別の洗浄電源によって提供されることを特徴とする請求項１５記載の電極を含む電解槽の洗浄方法。
【請求項２０】
前記電解槽を介して電解物質の流量をモニターするステップと、流量を自動的に調整するステップとをさらに含んでいることを特徴とする請求項１５記載の電極を含む電解槽の洗浄方法。
【請求項２１】
電解生成物の生成装置であって、本装置は、通常第1電流密度で稼動される電解槽を含み、
前記電解槽は通常第1極性により稼動する電極と、塩水の前記電解槽への流入を制御または停止するためのバルブまたはポンプと、を含み、
前記電解槽は、前記通常第1極性と逆の極性と、前記電解槽における塩水濃度の低減によって生じる前記第１電流密度よりも低い第２電流密度とで稼動することで、前記電解槽における塩水濃度を変化させて洗浄されることを特徴とする電解生成物の生成装置。
【請求項２２】
前記電解槽は１リットルあたり５グラム以上の遊離塩素の濃縮物を生成することを特徴とする請求項２１記載の電解生成物の生成装置。
【請求項２３】
前記第２電流密度は第１電流密度の１０％から１５％の間であることを特徴とする請求項２１記載の電解生成物の生成装置。
【請求項２４】
電源継電器とスイッチ器具のうち少なくとも１つをさらに含んでいることを特徴とする請求項２１記載の電解生成物の生成装置。
【請求項２５】
前記電解槽を通る電解物質の流量をモニターする流量モニター装置をさらに含んでいることを特徴とする請求項２１記載の電解生成物の生成装置。
【請求項２６】
前記流量モニター装置は流量計、ロータメーター、圧力変換器、一対の熱電対および一対のサーモウェルからなる群から選択されることを特徴とする請求項２５記載の電解生成物の生成装置。
【請求項２７】
１つの熱電対が電解槽の入口に配置され、他の熱電対が電解槽の出口に配置されることを特徴とする請求項２６記載の電解生成物の生成装置。
【請求項２８】
流量を調整するために電子的に稼動されるバルブをさらに含んでいることを特徴とする請求項２５記載の電解生成物の生成装置。
【請求項２９】
水を塩水と混合する前に水の流量を自動的にモニターするステップをさらに含むことを特徴とする請求項１１記載の電解槽の洗浄方法。
【請求項３０】
水を塩水と混合する前に水の流量を自動的に調節するステップをさらに含むことを特徴とする請求項１３記載の電解槽の洗浄方法。
【請求項３１】
逆転させるステップの前に前記電解槽への塩水の供給を停止するステップをさらに含むことを特徴とする請求項１５記載の電解槽の洗浄方法。
【請求項３２】
水と塩水が化合される前に水の流量を自動的にモニターするための流量モニター装置をさらに含むことを特徴とする請求項２１記載の電解生成物の生成装置。
【請求項３３】
水を塩水と混合する前に水の流量を自動的に調節するための第２装置をさらに含むことを特徴とする請求項３２記載の電解生成物の生成装置。
【請求項３４】
前記第２装置はバルブまたはポンプをさらに含むことを特徴とする請求項３３記載の電解生成物の生成装置。
【請求項３５】
電解槽を稼動するための方法であって、
水と塩水を混合して前記電解槽に入れる前に、少なくとも前記電解槽または水の流量のいずれか一方を介して電解物質の流量をモニターするステップと、
少なくとも電解物質の流量または水の流量のいずれか一方を自動的に調節するステップと、
を含むことを特徴とする電解槽の洗浄方法。
【請求項３６】
前記モニターするステップは、流量計、ロータメーターまたは圧力変換器を使用するか、あるいは水を塩水と混合する前に水の流量を自動的にモニターするか、あるいは前記電解槽入り口に配置された第１サーモカップルまたはサーモウェルと前記電解槽出口に配置された第２サーモカップルまたはサーモウェルを介した前記電解槽の温度差をモニターすることで実行されることを特徴とする請求項３５記載の電解槽の洗浄方法。
【請求項３７】
所定の流量時に洗浄サイクルを開始するステップをさらに含んでいることを特徴とする請求項３５記載の電解槽の洗浄方法。
【請求項３８】
電解槽を含む装置であって、本装置は、
水を塩水と混合して前記電解槽に入れる前に、少なくとも前記電解槽または水の流量のいずれか一方を介して電解物質の流量をモニターするための1つ以上の流量モニター装置と、
少なくとも電解物質の流量または水の流量を調節するための１つ以上のバルブまたはポンプと、
を含むことを特徴とする電解生成物の生成装置。
【請求項３９】
少なくとも１つの前記流量モニター装置が、流量計、ロータメーター、圧力変換器、一対の熱電対および一対のサーモウェルからなる群から選択されることを特徴とする請求項３８記載の電解生成物の生成装置。
【請求項４０】
１つの熱電対またはサーモウェルが前記電解槽の入口に配置され、他の熱電対またはサーモウェルが前記電解槽の出口に配置されることを特徴とする請求項３９記載の電解生成物の生成装置。
【手続補正２】
【補正対象書類名】明細書
【補正対象項目名】００２０
【補正方法】変更
【補正の内容】
【００２０】
本発明は電解生成物の生成装置にも関する。この装置は、電極を含む電界槽と、電極に第１電流密度を提供するための第１電源と、電極に第２電流密度を提供するための第２電源とを含んでおり、第２電源は第１電源とは逆の極性を有しており、第２電流密度は第１電流密度よりも低い。電解槽は好適にはリットルあたり約５グラム以上の遊離塩素の濃縮物を生成する。第２電流密度は好適には第１電流密度の約１０％から約１５％の間である。この装置は好適には少なくとも１つの電源継電器またはその他のスイッチ器具を含んでおり、好適には電解槽を通る電解質流量をモニターする流量モニター装置を含んでいる。